(57)【特許請求の範囲】
【請求項１】
扉を、吊元扉とこの吊元扉に軸支される戸先側バランス扉とに左右で２分割した折戸で、ドアクローザを備え、戸先側バランス扉中間上部に吊ハンガー部品を、中間下部に下部ガイド部品をそれぞれ設けた扉装置において、開閉機能を反転させることができるように、吊ハンガー部品の軸部と下部ガイド部品の軸部は戸先側バランス扉への取付部を横方向にスライド調整可能とし、前記吊ハンガー部品の軸部と下部ガイド部品の軸部を結んだ戸先側バランス扉の中央左右分割線を想定し、
扉の開く側の風圧力が高い場合はＯＰＥＮタイプの扉として、扉の開く側の風圧力が低い場合はＣＬＯＳＥタイプの扉として使用し、
ＯＰＥＮタイプの扉として使用する場合は、戸先側バランス扉において前記中央左右分割線の左右面積にかかる風圧力はほぼ相殺され、吊元扉が開き方向に受ける風圧力が前記中央左右分割線で反転され戸先側で扉を開ける力を軽減する力として作用させ、
ＣＬＯＳＥタイプの扉として使用する場合は、戸先側バランス扉において前記中央左右分割線の左右面積にかかる風圧力はほぼ相殺され、吊元扉に受ける風圧力が前記中央左右分割線で反転させて戸先側で扉を閉じる力として作用して扉全体を自閉させることを特徴とした扉装置の開閉方法。
【請求項２】
戸先側バランス扉の中央左右分割線を境にした左右面積は同じか、もしくは近似した値となるようにする請求項１記載の扉装置の開閉方法。
【請求項３】
ドアクローザには、クローザ本体部とアーム部からなる４節リンク機構のものを使用し、アーム部を扉を支持する扉枠側に、クローザ本体部を吊元扉に結合する請求項１または請求項２のいずれかに記載の扉装置の開閉方法。
【発明の詳細な説明】
【技術分野】
【０００１】
本発明は、室内外に気圧差がある場合に、ドアノブなどによる扉の開放操作のみで差圧をなくして扉を簡単に開けることができる（開力軽減機構付）とともに、風圧を受ける状態でも圧力に逆らって自閉する（扉自閉）ことができる扉装置の開閉方法に関するものである。
【背景技術】
【０００２】
出願人は先に、室内外に気圧差がある場合に、ドアノブによる扉の開放操作のみで差圧をなくして容易に避難を可能として扉を簡単に開けることができるものとして下記特許文献１に示す差圧緩和機構付き扉装置を提案し、特許を取得した。
【特許文献１】特許第５５３５３４８号公報
【０００３】
特許文献１によれば、扉を吊元扉とこの吊元扉に軸支される戸先扉とに左右で２分割して折り戸形式の扉とし、戸先扉を差圧緩和機構とするもので、平時は２枚の扉を一体として作動させ、差圧発生時は開放力を低減させるために戸先扉を先に開けることが可能となる。
【０００４】
特許文献１は、扉を吊元扉とこの吊元扉に軸支される戸先扉とに左右で２分割し、扉開閉用のハンドル、ドアクローザ、吊元扉に対し戸先扉を支持回転するとともに閉鎖方向に圧力を有するヒンジクローザ、戸先扉の扉枠に対するラッチＡ、戸先扉の吊元扉に対するラッチＢを備え、
ドアクローザの閉扉力に対して必要な開扉力（ハンドル位置）：ＤＨ
ドアクローザの開扉力に対して必要な閉扉力（ハンドル位置）：ＤＨＣ
ヒンジクローザの閉扉力に対して必要な開扉力（ハンドル位置）：ＡＨ
ラッチＢの解除力に対して必要な力（ハンドル位置）：ＬＢＨ
気圧差により扉全体に作用する荷重（閉方向に作用）（ハンドル位置）：ＰＡＨ
気圧差により戸先扉に作用する荷重（閉方向に作用）（ハンドル位置）：ＰＢＨ
の関係を下記のようにした。
ＤＨ＜ＡＨ+ＬＢＨ
ＰＡＨ+ＤＨＣ＞ＰＢＨ+ＡＨ+ＬＢＨ  
【０００５】
特許文献１の発明によれば、ドアクローザの閉扉力に対して必要な開扉力（ハンドル位置）：ＤＨは、ヒンジクローザの閉扉力に対して必要な開扉力（ハンドル位置）：ＡＨとラッチＢの解除力に対して必要な力（ハンドル位置）：ＬＢＨとを合わせたものよりも小さいので、平時では、ヒンジクローザの閉扉力に対して必要な開扉力を加えれば、吊元扉と戸先扉を一体で開扉させることができる。
【０００６】
また、気圧差により扉全体に作用する荷重（閉方向に作用すると仮定）（ハンドル位置）：ＰＡＨとドアクローザの閉扉力に対して必要な開扉力（ハンドル位置）：ＤＨとを合わせたものは、気圧差により戸先扉に作用する荷重（閉方向に作用）（ハンドル位置）：ＰＢＨとラッチＢの解除力に対して必要な開扉力（ハンドル位置）：ＬＢＨとヒンジクローザの閉扉力に対して必要な開扉力（ハンドル位置）：ＡＨとを合わせたものよりも大きいので、差圧発生時に、戸先扉のみを先に開扉させることができる。
【０００７】
同じく出願人は先に、平時および差圧発生時のどちらの場合でも戸先扉を自閉させることができるものとして下記特許文献２に示す扉装置を提案し、特許を取得した。
【特許文献２】特許第６６７６６０４号公報
【０００８】
この特許文献２は、扉を、ドア形状を凹形状にした吊元扉とこの吊元扉に軸支されるものでドア形状を凸形状とした戸先扉とに左右で２分割した折戸で、ドアクローザを備えた扉装置において、扉の上方にはハンガーレールを、扉の下方にはスライドガイドレールを設け、戸先扉中間部に、前記ハンガーレールに係合させるものとして横方向の力を受けてもスライド可能な走行体を、前記スライドガイドレールに係合させるものとしてガイド車による下部スライドガイドをそれぞれ設け、戸先扉は吊元扉に対して面積を大きく、かつ、吊元扉の面積と走行体と下部スライドガイドを結んだ線の戸先扉の吊元側の面積を合わせた面積が走行体と下部スライドガイドを結んだ線の戸先扉の戸先側の面積よりも大きく設定し、走行体および下部スライドガイドで風圧力により押し開かれるドアを保持し、戸先扉の戸先側の面積に受ける風圧力を反転させて閉じる側の力とし、その力の反転を利用して自閉可能となる、また平常時はドアクローザにより自閉させるものである。
【０００９】
特許文献２によれば、扉は全開状態では、ドア形状を凸形状にした戸先扉とドア形状を凹形状にした吊元扉とが完全に折り重なり、枠に対して直角方向に向くようになっている。
【００１０】
この状態からドアクローザの負荷によって扉は閉まり始め、走行体がハンガーレールをスライドし、下部スライドガイドがスライドガイドレールを移動して負荷を理想的な回転移動方向へと導き、戸先扉がなめらかな軌跡を描いてくことを可能にする。
【００１１】
この時、戸先扉は、走行体によってハンガーレールに吊られ、走行体の取り付け位置が戸先扉の中心部分（変芯可能）であるため、ドアクローザの負荷によって戸先扉は走行体を中心に回転しながら、閉じられていく。
【００１２】
そして、中間部保持（移動支点）することで、風圧による影響で吊元側の開ける方向力を移動支点により閉める方向力へ反転させることができる。
【００１３】
また、戸先扉形状を凸形状にして大きくし、吊元扉を凹形状にして面積を小さくしていて、早めにスキマをつくり、風圧の影響を軽減することができ、戸先扉の戸先側部分面積より吊元側部分面積＋吊元扉面積を合せた面積を大きく設定すれば、室間差圧時に閉まる側の面積設定となり、自閉する。
【００１４】
特許文献２によれば、このようにして、圧力により発生する左右回転力を扉面積バランスにより影響を極力小さくすることで、ドア中間部ハンガー車および下部スライドガイドで風圧により押し開かれるドアを保持して、ドアが自閉する。平常時は自閉装置により自閉させることができる。
【００１５】
前記特許文献１の差圧緩和機構付き扉装置は、防火区画の通路に設置される防火扉や風圧および／または水圧が掛かるおそれのある扉などで使用される。
【００１６】
また、前記特許文献２の扉装置は、エレベーター機械室などに使用される。
【００１７】
ビル内の気圧を測定すると、窓や扉が開いているビルの１階と８階では３hPaの気圧差があっても、窓や扉が閉まっている正圧のビルでは、１階出入口の内側と外側の気圧差は測定できない程度の差である。しかしその僅かな気圧差であっても、窓や扉が開けば中から外へと空気が勢いよく流出する。
【００１８】
エレベーターシャフトはビル内では最も煙突効果が発生する場所で、煙突効果により押し上げられたシャフト内の暖かい空気が機械室に侵入して外よりも高い気圧となる。
【００１９】
一方、防火扉には、常時閉鎖型防火戸と随時閉鎖型防火戸とがあるが、火災時には延焼を防止するため火災発生時に扉を確実に閉めることが要求される随時閉鎖型防火戸などで使用される。
【００２０】
図７に示すような、特別避難階段の付室１（非常用ＥＶロビーを兼用する場合も含む。）や特別避難階段などでは、廊下（通路）２や階段（室）３との関係で下記のようになる。
廊下２（低）⇒付室１（高）
差圧低高（扉の開く側の圧力が高い場合）…OPENタイプの扉
付室１（高）⇒階段室３（低）
差圧低高（扉の開く側に圧力が低い場合）…CLOSEタイプの扉
【発明の概要】
【発明が解決しようとする課題】
【００２１】
前記特許文献１の扉装置は、ドアノブによる扉の開放操作のみで差圧をなくして容易に避難を可能として扉を簡単に開けることができるものであり、特許文献２の扉装置は平時および差圧発生時のどちらの場合でも戸先扉を自閉させることができるものであり、それぞれその目的が相違する。
【００２２】
本発明の目的は前記従来例の扉の開放操作のみで差圧をなくして容易に避難を可能として扉を簡単に開けることができる、および、風圧により押し開かれるドアを保持して、ドアが自閉する。平常時は自閉装置により自閉させることができるという従来の２種の扉の機能の両方を兼ね備えることができ、同じ扉で、扉の開く側に圧力が高い場合である正圧時と扉の開く側に圧力が高い場合である負圧時にいずれも開かない扉が開き、閉じない扉を閉めることができる扉装置の開閉方法を提供することにある。
【課題を解決するための手段】
【００２３】
前記目的を達成するため請求項１記載の本発明は、扉を、吊元扉とこの吊元扉に軸支される戸先側バランス扉とに左右で２分割した折戸で、ドアクローザを備え、戸先側バランス扉中間上部に吊ハンガー部品を、中間下部に下部ガイド部品をそれぞれ設けた扉装置において、開閉機能を反転させることができるように、吊ハンガー部品の軸部と下部ガイド部品の軸部は戸先側バランス扉への取付部を横方向にスライド調整可能とし、前記吊ハンガー部品の軸部と下部ガイド部品の軸部を結んだ戸先側バランス扉の中央左右分割線を想定し、扉の開く側の風圧力が高い場合はＯＰＥＮタイプの扉として、扉の開く側の風圧力が低い場合はＣＬＯＳＥタイプの扉として使用し、ＯＰＥＮタイプの扉として使用する場合は、戸先側バランス扉において前記中央左右分割線の左右面積にかかる風圧力はほぼ相殺され、吊元扉が開き方向に受ける風圧力が前記中央左右分割線で反転され戸先側で扉を開ける力を軽減する力として作用させ、ＣＬＯＳＥタイプの扉として使用する場合は、戸先側バランス扉において前記中央左右分割線の左右面積にかかる風圧力はほぼ相殺され、吊元扉に受ける風圧力が前記中央左右分割線で反転させて戸先側で扉を閉じる力として作用して扉全体を自閉させることを要旨とするものである。
【００２４】
請求項１記載の本発明によれば、ＯＰＥＮタイプの扉として機能させる場合、戸先側バランス扉においては中央左右分割線の左右面積にかかる風圧力はほぼ相殺され、吊元扉に受ける風圧力（吊元扉が開き方向）が中央左右分割線で反転され戸先側で扉を開ける力を軽減する力として作用する。
【００２５】
ＣＬＯＳＥタイプの扉として機能させる場合、戸先側バランス扉においては中央左右分割線の左右面積にかかる風圧力はほぼ相殺され、吊元扉に受ける風圧力（吊元扉が閉じる方向）が中央左右分割線で反転され戸先側で扉を閉じる力として作用して扉全体が自閉する。なお、吊元扉で受ける風圧力は戸先バランス扉で相殺された力（回転力）より十分に大きい力となるので自閉させることができる。
【００２６】
本発明のＯＰＥＮ／ＣＬＯＳＥ機能の基本は基本計算式  Ｔｃ＞（Ｔａ−Ｔｂ）による。Ａ部面積Ｂ部面積が同一で回転トルク相殺した値が「０」に近いほど良い。しかし、２枚折戸で９０度開きを考慮する時、吊りハンガー部品・下部ガイド部品について微調整が必要になる。よって完全に「０」に調整ができるとは言えない。多少の差分トルクが残ってもＣ部面積でのトルクが十分に大きく・移動支点金物で反転され、低圧時には扉が自閉する、高圧時には扉を開ける力が軽減される。
【００２７】
本発明によれば、丁番部品での開閉力抵抗があり、室間差圧が「０」に近い部分で錠前ラッチが完全に閉じ切れない現象が出てきて、このラッチング不良を避ける為にＯＰＥＮ／ＣＬＯＳＥ機能性格をはっきりとさせるために、スライド調整を行うことができる。
【００２８】
なお、このスライド調整は、（１）９０度扉が開く時に吊り元扉と戸先側バランス扉がきちんとスムースに開閉できる様調整、（２）戸先側バランス扉の面積比調整、（３）低圧時、高圧時における開閉機能特性をはっきりさせる、の３点役割を持って行う。
【００２９】
請求項２記載の本発明は、戸先側バランス扉の中央左右分割線を境にした左右面積は同じか、もしくは近似した値となるようにすることを要旨とするものである。
【００３０】
請求項２記載の本発明によれば、Ｓａ：Ａ部面積、Ｓｂ：Ｂ部面積、Ｓｃ：Ｃ部面積でのＡ部トルク＝Ｔａ、Ｂ部トルク＝Ｔｂ、Ｃ部トルク＝Ｔｃにおける関係式は、下記の通りである。
（１）各面積・トルクの関係式は
Ｓａ≒Ｓｂ…ほぼ近い大きさの面積
上記よりＴa≒Ｔb…ほぼ同じ強さトルク（トルクの相殺）
（２）（Ｔａ−Ｔｂ）＜Ｔｃ
戸先側バランス扉吊り金物ｆｔ２廻りのＡＢ部相殺したトルクより吊元扉Ｃ部発生トルクが大きい（ｆｔ２部で力方向が反転）。このようにＴｃトルクが（Ｔａ−Ｔｂ）に比較して十分に大きいので、同じ扉で、扉の開く側に圧力が高い場合開かない扉が開くと、扉の開く側に圧力が低い場合で、閉じない扉を閉ることができる。
【００３１】
面積Ａと面積Ｂはほぼ近似した値で良い、厳密にＡ＝Ｂとしなくても吊元扉で受ける力が低圧時は閉じる力となり、高圧時は扉を開ける力の開力軽減となり、Ａ−Ｂでトルク相殺された値より十分大きな値となるので求める性能は得られる。吊ハンガー部品スライド調整は開閉機能特性をはっきりさせてくれる事と、２枚折れ扉が９０度開いた状態での角度調整ができる。
【００３２】
請求項３記載の本発明は、ドアクローザには、クローザ本体部とアーム部からなる４節リンク機構のものを使用し、アーム部を扉を支持する扉枠側に、クローザ本体部を吊元扉に結合することを要旨とするものである。
【００３３】
請求項３記載の本発明によれば、ドアクローザを邪魔にならずに、かつ、効果的に作用させるように設けることができる。
【発明の効果】
【００３４】
以上述べたように本発明の扉装置の開閉方法は、扉の開く側に風圧力が高い場合に扉の開放操作のみで差圧をなくして容易に避難を可能として扉を簡単に開けることができ、扉の開く側に風圧力が低い場合では風圧により押し開かれるドアを保持して、ドアが自閉する。平常時は自閉装置により自閉させることができるという、２種類の機能とも兼ね備えることができ、同じ扉で、扉の開く側に風圧力が高い場合に開かない扉が開き、扉の開く側に風圧力が低い場合に閉じない扉を閉める両方の機能が可能なものである。
【図面の簡単な説明】
【００３５】
【図１】本発明の開閉方法で使用する扉装置の１実施形態を示す正面図である。
【図２】本発明の開閉方法で使用する扉装置の１実施形態を示す平面図である。
【図３】本発明の開閉方法で使用する扉装置の部材構成を示す斜視図である。
【図４】本発明の開閉方法で使用する扉装置の第１実施形態を示す一部省略した縦断側面図である。
【図５】本発明の開閉方法で使用する扉装置の第２施形態を示す一部省略した縦断側面図である。
【図６】本発明の開閉方法で使用する扉装置でのドアクローザの取り付け位置を示す平面図である。
【図７】本発明の開閉方法で使用する扉装置の設置場所の一例を示す説明図である。
【図８】本発明の開閉方法で使用する扉装置の説明図である。
【図９】「ＯＰＥＮ」「ＮＥＵＴＲＡＬ」「ＣＬＯＳＥ」の３つのタイプの扉の寸法を示す説明図である。
【図１０】負圧/正圧での相殺を示す説明図である。
【図１１】正圧と負圧の力の受け方を示す説明図である。
【図１２】本発明の扉装置の開閉方法原理を示す説明図である。
【図１３】扉の「ＯＰＥＮ」「ＮＥＵＴＲＡＬ」「ＣＬＯＳＥ」の３つのタイプでの状態を示すグラフである。
【図１４】吊ハンガー部品の取付けを示す正面図である。
【図１５】吊ハンガー部品の取付けを示す側面図である。
【図１６】吊ハンガー部品の取付けの部品構成を示す斜視図である。
【図１７】下部ガイド部品の取付けを示す側面図である。
【図１８】下部ガイド部品の位置調整の説明図である。
【図１９】下部ガイド部品の取付けの部品構成を示す斜視図である。
【発明を実施するための形態】
【００３６】
以下、図面について本発明の実施の形態を詳細に説明する。図１は本発明の開閉方法で用いる扉装置の正面図、図２は同上平面図、図３は同上部材構成を示す斜視図で、図中１２は扉枠、４は沓摺である。
【００３７】
扉枠１２に収まる扉として、ドア形状を凹形状にした吊元扉１３とこの吊元扉１３に軸支されるものでドア形状を凸形状とした戸先扉である戸先側バランス扉１４とに左右で２分割した折戸とし、ドアクローザ１５を設けている。
【００３８】
図中１６ａは吊元扉１３を吊支する吊元丁番、１６ｂは戸先側バランス扉１４を吊支する中間丁番、２５は吊ハンガー部品用切欠き、２６は下部ガイド部品用切欠き、２７は戸先側上フサギ部品、２８は吊元側上フサギ部品、２９は下部ガイド部品用切欠きフサギ部品である。
【００３９】
吊ハンガー部品用切欠き２５を戸先側バランス扉１４の中間上部に、下部ガイド部品用切欠き２６をバランス扉１４の中間下部に形成し、これら切欠き２５、２６を利用して戸先側バランス扉１４の中間上部に吊ハンガー金物である吊ハンガー部品１７を、中間下部に下部ガイド車である下部ガイド部品１８を設けた。
【００４０】
図４、図５に示すように、扉枠１２の上枠に内蔵するようにして扉の上方には吊ハンガー部品１７が係合するハンガーレール２１を設け、扉の下方である床には中間下部に下部ガイド部品１８が係合するドア下部回転のガイドレールであるスライドガイドレール２３を設けている。
【００４１】
吊ハンガー部品１７には、図４に示すような走行輪１７ａを有する台車形式のものと、図５に示すようなボールリテーナ入り走行ブロック３９のものとが採用できる。
【００４２】
図４の吊ハンガー部品１７では、横方向の力を受けてもスライド可能なものとして吊ハンガー部品１７に設ける扉の吊軸１９との係合部にベアリング２０を配設し、摩擦抵抗を少なくする。
【００４３】
さらに、吊ハンガー部品１７はビス止めによる戸先側バランス扉１４へのドア取付部１７ｂを横方向にスライド調整可能とした。吊ハンガー部品１７は戸先側バランス扉１４の中間部に設けられ、吊ハンガー部品用切欠き２５は戸先側上フサギ部品２７で覆われる。
【００４４】
図５では吊ハンガー部品１７に同じく横方向の力を受けてもスライド可能な走行体として走行体としてボールリテーナ入り走行ブロック３９を使用した。
【００４５】
図示は省略するが、ボールリテーナ入り走行ブロック３９は４方向（ラジアル方向、逆ラジアル方向、横方向）に対して同一一定格荷重になるよう各ボール列が接触角４５°で配置されているので、あらゆる姿勢での使用が可能になり、しかもバランスの良い予圧がかけられるので、一定の低い摩擦係数を維持しながら、４方向の剛性を高めることができる。
【００４６】
さらに、走行ブロック３９は前記走行輪１７ａを有する台車形式の吊ハンガー部品１７と同様にビス止めによるや戸先側バランス扉１４へのビス止めによるドア取付部４４を横方向にスライド調整可能とした。
【００４７】
図１４〜図１６にこのスライド調整の詳細を示すと、走行ブロック３９は図１６に示すようにスライダー部材４５、このスライダー部材４５の下側に結合する支持受け部材４６、支持受け部材４６で吊下がる吊りボルト４７、吊りボルト４７を受ける上側軸受け４８ａ，下側軸受け４８ｂ，これら上側軸受け４８ａ，下側軸受け４８ｂが取り付く台板スライドホルダー５０、扉側取付ボルト台板４９とで構成され、台板スライドホルダー５０はボルト貫通用の長穴５０ａを有する。
【００４８】
扉側取付ボルト台板４９から突設するボルト４９ａを前記台板スライドホルダー５０の長穴５０ａに差５１し入れる際に、その貫通位置で上側軸受け４８ａ，下側軸受け４８ｂの台板スライドホルダー５０に対する位置を調整することができる。これにより、吊りボルト４７の位置が調整される。
【００４９】
前記スライドガイドレール２３は、ビス等で床に固設されるチャンネル部材で、これに係合させる下部ガイド部品８はアームで支持される横向き車輪で、ナイロン等の合成樹脂もしくは合成ゴムによる。
【００５０】
下部ガイド部品１８はビスにより横方向へスライド調整可能とした。なお、下部ガイド部品１８やスライドガイドレール２３は、扉への風圧で側圧１００Kgに耐えるものとする。
【００５１】
図１７〜図１９にこの下部ガイド部品１８のスライド調整の機構を示すと、スライドガイドレール２３に係合させるガイド車３０とガイド車３０をボルト・ナット止めして、扉側固定部品５１に長穴５２ａによりスライド可能にビス止めするガイド車支持部品５２からなる。
【００５２】
ガイド車３０はナイロン等の合成樹脂もしくは合成ゴムによるもので、図１８に示すように、扉側固定部品５１をガイド車支持部品５２を長穴５２ａを介してビス止めすることで、ガイド車３０の扉に対する取付位置を調整できる。
【００５３】
以上のようにして、戸先側バランス扉１４の吊ハンガー部品１７を設けた部分から鉛直方向の下方に前記ドア下部の回転スライドとしてガイドレール２３に係合する下部ガイド部品１８を設けた。
【００５４】
なお、スライドガイドレール２３の開口は扉のスライドが支障とならない程度でゴムや軟質合成樹脂の塞ぎ板で覆い、埃やごみが入らないようにすることもできる。
【００５５】
図６に示すように、ドアクローザ１５はアーム部であるリンクアーム１５ａとクローザ本体部である油圧シリンダー１５ｂを有する４節リンク機構のものを使用し、リンクアーム１５ａを扉を支持する扉枠側に、油圧シリンダー１５ｂの先端の扉係合部は吊元扉１３に掛合させる。
【００５６】
図８は本発明の扉装置の説明図であるが、図中の各項目は以下の通りである。
ＡＢ各項目
Ａ：戸先−吊り金物間寸法
Ｂ：吊ハンガー金物−中間丁番間寸法
Ｃ：吊り元扉上下辺部寸法
Ｄ：戸先側バランス扉凸部−吊ハンガー金物間寸法
Ｅ：吊元扉タテ框幅寸法
Ｆ：吊元扉上下アーム出寸法
Ｇ：パランス扉上側欠け部寸法
Ｈ：バランス扉下衡欠け部寸法
Ｊ：吊元扉上アーム高さ寸法
Ｋ：吊元扉下アーム高在寸法
Ｕ：吊元扉図芯寸涜
Ｑ：バランス扉戸先側Ａ部図芯寸法
Ｒ：バランス扉中間側Ｂ部図芯寸法
各部面積
Ｓａ：Ａ部面積
Ｓｂ：Ｂ部面積
Ｓｃ：Ｃ部面積
【００５７】
前記吊ハンガー部品１７の軸部と下部ガイド部品１８の軸部を結んだ戸先側バランス扉１４の中央左右分割線Ｘ（以下分割線Ｘと称する）を想定し、この図８に示すように、本発明では、分割線Ｘを境にして戸先側バランス扉１４の戸先側の面積Ａ（Ｓａ：Ａ部面積）と戸先側バランス扉１４の吊元扉１３側の面積Ｂ（Ｓｂ：Ｂ部面積）はほぼ同じ大きさにし、圧力を受けて発生するトルクを相殺し、十分に小さな力（Ｔａ−Ｔｂ）とし、吊元扉面積（Ｃ）の受ける圧力（Ｔｃ）を分割線Ｘを境にして力を反転すると（Ｔａ−Ｔｂ）に比較して（Ｔｃ）が大きな力となるように設定した。前記分割線Ｘは戸先側バランス扉１４を左右に分割する鉛直線もしくはほぼ鉛直線となる。
【００５８】
先に、本発明の扉装置の設置場所の一例について説明する。先にも述べたが、図７に示すような、特別避難階段の付室１（非常用ＥＶロビーを兼用する場合も含む。）や特別避難階段などであり、廊下（通路）２や階段（室）３との関係で下記のようになる。
廊下２（低）→付室１（高）
差圧低高（扉の開く側の圧力が高い場合）…ＯＰＥＮタイプの扉
付室１（高）→階段（室）３（低）
差圧低高（扉の開く側に圧力が低い場合）…ＣＬＯＳＥタイプの扉
【００５９】
次に本発明の原理について説明する。面積Ｓａと面積Ｓｂはほぼ同じ面積とした場合を想定すると、扉の開く側が負圧／正圧では図１０に示すように、吊ハンガー部品１７の周り左右で回転トルクが相殺される。
【００６０】
Ｂ寸法だけではＢ面積が調整できず、Ｆ寸法部で調整する。Ｂ寸法はＣ寸法と連動関係があり、単独調整ができない（Ｂ＝Ｃ＋２３）
【００６１】
図８におけるＢ部面積Ｓｂについて
Ｂ寸法はＣ寸法とほぼ同じ値（Ｃ寸法と同じ値）
Ｂ＝Ｃ＋２３…２３は吊元丁番軸芯とスライドレール離れた値
扉厚／２−丁番軸芯（偏芯）＝２３ｍｍ
Ｓｂ面積の大きさはＳａと同じが望ましい。面積ＳｂはＡ部面積にあわせる為、図８におけるＦ寸法を調整する。
【００６２】
また、吊元扉１３・戸先側バランス扉１４を９０度まで開くにはＢ＝Ｃ＋２３とする。（図１１参照）
【００６３】
図８におけるＣ部面積について
扉の開く側が低圧（ＣＬＯＳＥ）の場合は、Ｃ部での差圧力を検討する。
吊元ドアＣ部への作用力は吊り金物ｆｔ２を介して、戸先部を閉じる向き力となりドアが自閉される。
【００６４】
Ｃ部面積について扉の開く側が正圧（ＯＰＥＮ）の場合は、吊元ドアＣ部への作用力は吊り金物ｆｔ２を介して、戸先部を開き方向力となり差圧によりドア開力を軽減し１００Ｎ以下力で開く。
【００６５】
このように開閉機能の特性変化を見ると、扉の開く側が正圧／負圧の環境について、ドアＣ部に受ける差圧力を利用して低圧（ＣＬＯＳＥ：扉の開く側が低圧）ではドアが自閉する。
【００６６】
また、高圧（ＯＰＥＮ：扉の開く側が高圧）では開かない状態なので差圧力を開く方向へ作用させて開かないドアを開力１００Ｎ以下の力で開放できる。図１１にかかるＯＰＥＮ/ＣＬＯＳＥの特性を示す。
【００６７】
図７において、室間差圧は、扉の開く側が負圧の場合は−５００Ｐａ、正圧の場合は５００Ｐａを想定した。
【００６８】
Ａ部トルク＝Ｔａ、Ｂ部トルク＝Ｔｂ、Ｃ部トルク＝Ｔｃとした場合、図１２に示すように扉が開けられる原理は、当初Ｔａ＜Ｔｂ＋Ｔｃである。Ｂ・Ｃ部面積で発生トルク計がＡ部発生トルクより大きい事で、「（Ｔａ−Ｔｂ）＜Ｔｃ」となる。その結果、扉を閉めようとする力を軽減するように作用する。
【００６９】
一方、扉が自閉できる原理は、扉の「（Ｔａ−Ｔｂ）＜Ｔｃ」のトルク時、圧力が自閉方向に作用する。
【００７０】
このようにして、戸先側バランス扉１４の吊ハンガー部品１７ｆｔ２廻り（分割線Ｘ）のＡＢ部相殺したトルクより吊元扉Ｃ部発生トルクが大きい（ｆｔ２部で力方向が反転）し、Ｔｃトルクが（Ｔａ−Ｔｂ）に比較して十分に大きいので、同じ扉で、扉の開く側に圧力が高い場合に開かない扉を開けることができる正圧時と、扉の開く側に圧力が低い場合に閉じない扉を閉めることができる負圧時のついてもいずれについても有効である。
【００７１】
以上のことを検討した結果を下記に示す。
【表１】
0006952167.tif 000002
【００７２】
２．Ｃ面積部での室間差圧による発生力（吊り金物ｆｔ２により、力方向が反転する）
＋５００Pa時      錠前部で      開く方向となる。
−５００Pa時      錠前部で      閉じる方向となる。
【００７３】
３．吊り金物ft2部での横スライド調整
先に述べたように、本発明は  吊ハンガー部品の軸部と下部ガイド部品の軸部は戸先側バランス扉へのビス止めによる取付部を横方向にスライド調整可能とするものであるが、図１３のグラフに示すように、スライド調整により、戸先側扉の面積（Ａ）と面積（Ｂ）の大きさ割合を変化させることで開閉力特性グラフ傾きが左上がりや、右上がりの性能グラフに変化する。ゆえに、吊り金物位置調整により機能特性を扉の開く側が高い場合に有効な開力軽減機能に有利な形、そして扉の開く側が低い場合の扉自閉機能の希望性能とする。
【００７４】
計算での確認事例を下記表２に示す。
【表２】
0006952167.tif 000003
【００７５】
扉を「ＯＰＥＮ」「ＮＥＵＴＲＡＬ」「ＣＬＯＳＥ」の３つのタイプで検討する。
「ＯＰＥＮ」は開かないドアが軽く開く場合であり、人が操作して、軽く開く、ドア自体で閉じることを主目的とした。
「ＣＬＯＳＥ」は、閉じないドアが自閉する場合であり、ドア自体で閉じる、ドアは軽く開けられることを主目的とした。
「ＮＥＵＴＲＡＬ」はその中間である。
【００７６】
バランス扉１４の吊ハンガー金物１７の位置（ｆｔ２）、すなわち、バランス扉１４のバランス扉Ａ寸法（戸先−吊り金物）の大小により機能は変化する。（下記表３および図９参照）
表３は扉の各タイプの面積計算とトルク計算、図９は扉の各タイプの寸法例である。
【表３】
0006952167.tif 000004
【００７７】
前記計算例として、吊り金物位置が横方向へ＋５mm、−５mm変化させた時（中間程度）、ＡＢＣ部面積変化割合は±１％、ＡＢ部による吊り金物支点廻りでの回転トルク相殺結果、小さなトルク値となる。Ｃ部での差圧発生トルクは（Ta-Tb）相殺後トルクよりＣ部面積トルクは十分大きなトルクとなる。
【００７８】
前記より、戸先側バランス扉のＡＢ部で差圧影響を極力小さくして、吊元扉Ｃ部に発生する力を中間部移動支点ｆｔ２で介する事で戸先側での力を反転させ（Ｃ部力＞ＡＢ部力）高圧側へドアを開く場合は、ドア開力方向へ作用して開力を軽減する。これにより１００Ｎ以下でドア開放できる。
【００７９】
低圧側へドアを開く場合は、ドア閉鎖方向へ作用して風圧力に逆らってドアが自閉される。
【００８０】
先に述べたように、本発明の扉装置のＯＰＥＮ／ＣＬＯＳＥ機能の基本は基本計算式  Ｔｃ＞（Ｔａ−Ｔｂ）である。
【００８１】
Ａ部面積Ｂ部面積が同一で回転トルク相殺した値が「０」に近いほど良い。
しかし、２枚折戸で９０度開きを考慮する時、吊りハンガー部品・下部ガイド部品について微調整が必要になる。よって完全に「０」に調整ができるとは言えない。多少の差分トルクが残ってもＣ部面積でのトルクが十分に大きく・移動支点金物で反転され、低圧時には扉が自閉する、高圧時には扉を開ける力が軽減されると考えられる。
【００８２】
前記図１３における低圧時のグラフ傾きおよび高圧時のグラフ傾きは吊りハンガー部品１７・下部ガイド部品１８の面積比調整で変化する。理想としては、開力・閉力グラフが水平に近いと良いが、錠前ラッチ・丁番部品での開閉力抵抗があり、室間差圧が「０」に近い部分で錠前ラッチが完全に閉じ切れない現象が出てき、このラッチング不良を避ける為にＯＰＥＮ／ＣＬＯＳＥ機能性格をはっきりとさせるべく、スライド調整を行う。
【００８３】
調整すると、グラフ傾きが大きくなり０近辺での不具合部分がどちらかに移動して、ラッチングが完全にされる。（不具合部分を低圧／高圧での反対側へ移動させて問題解決させる。
【００８４】
このように吊りハンガー部品・下部ガイド部品の左右スライド調整には
（１）９０度扉が開く時に吊り元扉と戸先側バランス扉がきちんとスムースに開閉できる様調整。
（２）戸先側バランス扉の面積比調整
（３）低圧時、高圧時における開閉機能特性をはっきりさせる。
以上の３点役割がある。
【符号の説明】
【００８５】
１…付室                        ２…廊下（通路）
３…階段（室）                  ４…沓摺
１２…扉枠                      １３…吊元扉
１４…戸先側バランス扉          １５…ドアクローザ
１５ａ…リンクアーム            １５ｂ…油圧シリンダー
１６ａ…吊元丁番                １６ｂ…中間丁番
１７…吊ハンガー部品            １７ａ…走行輪
１７ｂ…ドア取付部              １８…下部ガイド部品
１９…吊軸                      ２０…ベアリング
２１…ハンガーレール            ２３…スライドガイドレール
２５…吊ハンガー部品用切欠き    ２６…下部ガイド部品用切欠き
２７…戸先側上フサギ部品        ２８…吊元側上フサギ部品
２９…下部ガイド部品用切欠きフサギ部品
３０…ガイド車
３９…ボールリテーナ入り走行ブロック
４４…ドア取付部                ４５…スライダー部材
４６…支持受け部材              ４７…吊りボルト
４８ａ…上側軸受け              ４８ｂ…下側軸受け
４９…扉側取付ボルト台板        ４９ａ…ボルト
５０…台板スライドホルダー      ５０ａ…長穴
５１…扉側固定部品              ５２…ガイド車支持部品
５２ａ…長穴
【要約】      （修正有）【課題】扉を、吊元扉とバランス扉で２分割した折戸で、扉の開く側に風圧力が高い場合でも扉が開き、扉の開く側に風圧力が低い場合でも扉を閉めることができる扉装置の開閉方法を提供する。【解決手段】吊ハンガー部品１７の軸部と下部ガイド部品の軸部を結んだ戸先側バランス扉の中央左右分割線を想定し、扉の開く側の風圧力が高い場合はＯＰＥＮタイプの扉として、扉の開く側に風圧力が低い場合はＣＬＯＳＥタイプの扉として使用し、ＯＰＥＮタイプの扉として使用する場合は戸先側バランス扉において中央左右分割線の左右面積にかかる風圧力はほぼ相殺され、吊元扉が開き方向に受ける風圧力が戸先側で扉を開ける力を軽減する力として作用させ、ＣＬＯＳＥタイプの扉として使用する場合は、戸先側バランス扉においては中央左右分割線の左右面積にかかる風圧力はほぼ相殺され、吊元扉に受ける風圧力が戸先側で扉を閉じる力として作用して扉全体を自閉させる。【選択図】図１【図１】
0006952167.tif 000005
【図２】
0006952167.tif 000006
【図３】
0006952167.tif 000007
【図４】
0006952167.tif 000008
【図５】
0006952167.tif 000009
【図６】
0006952167.tif 000010
【図７】
0006952167.tif 000011
【図８】
0006952167.tif 000012
【図９】
0006952167.tif 000013
【図１０】
0006952167.tif 000014
【図１１】
0006952167.tif 000015
【図１２】
0006952167.tif 000016
【図１３】
0006952167.tif 000017
【図１４】
0006952167.tif 000018
【図１５】
0006952167.tif 000019
【図１６】
0006952167.tif 000020
【図１７】
0006952167.tif 000021
【図１８】
0006952167.tif 000022
【図１９】
0006952167.tif 000023